(57)【要約】【課題】              タンクに取付けが容易であり且つ取外すことができ、廃液抜き取りのための管体をタンクに密着させることができる廃液抜取装置を提供すること。【解決手段】          廃液を貯留するタンク１の外壁に接続され、管内を通じてタンク１の外壁が穿孔され、穿孔された孔と該管内を通じて廃液が抜きとられる管体１２と、管体１２をタンク１の外面に向かって解除可能に付勢することにより、管体１２をタンク１に接続するリンク機構と、を備え、前記リンク機構は、一側が管体１２に直接的又は間接的に接続されるアーム６と、アーム６の中間部を枢支する枢支手段（４，５）と、アーム６の他側に接続され、操作により該他側を変位させることによりアーム６を回動させ、管体１２をタンク１の外壁に向かって解除可能に付勢させる操作力付勢手段（７，８）と、を有する。【選択図】            図１
2005349263.tif 000002
【特許請求の範囲】
【請求項１】
廃液を貯留するタンクから該廃液を抜き取るための装置であって、
前記タンクの外壁に接続され、管内を通じて該タンクの外壁が穿孔され、穿孔された孔と該管内を通じて前記廃液が抜き取られる管体と、
前記管体を前記タンクの外面に向かって解除可能に付勢することにより該管体を該タンクに接続するリンク機構と、
を備え、
前記リンク機構は、
一側が前記管体に直接的又は間接的に接続されるアームと、
前記アームの中間部を枢支する枢支手段と、
前記アームの他側に接続され、操作により該他側を変位させることにより該アームを回動させ、前記管体を前記タンクの外壁に向かって解除可能に付勢させる操作力付勢手段と、
を有する、ことを特徴とする廃液抜取装置。
【請求項２】
前記枢支手段は、前記タンクを補強するリブに解除可能に固定された万力と、前記万力に対して前記アームの中間部を枢支するピンと、を有する、ことを特徴とする請求項１記載の廃液抜取装置。
【請求項３】
前記操作力付勢手段は、前記アームの回動位置をロックする手段を有することを特徴とする請求項１記載の廃液抜取装置。
【請求項４】
前記操作力付勢手段は、前記アームの他側に形成された内ネジ部と、前記内ネジ部に螺合し且つ一端が前記タンクの外壁に当接し、回転操作により並進して前記アームの他側を変位させる外ネジ部材と、を有し、前記内ネジ部と前記外ネジ部材の螺合により前記アームの回動位置がロックされる、ことを特徴とする請求項１記載の廃液抜取装置。
【請求項５】
前記管体の端部に取り付けられ、一面が前記タンクの外壁面に直接的又は間接的に当接し、他面が前記リンク機構が発生する倍力を受けて該倍力を前記管体に伝達する座金を有する、ことを特徴とする請求項１記載の廃液抜取装置。
【請求項６】
前記アームの一側に取り付けられ、前記管体が挿通する押え板と、前記押え板と螺合し、並進して前記座金にその端面が当接する当り補正用のボルトと、を有する、ことを特徴とする請求項１記載の廃液抜取装置。
【発明の詳細な説明】
【技術分野】
【０００１】
本発明は、廃液抜取装置に関し、特に、発電所や変電所等、火気の使用が制限される区域に設置されたコンデンサ等の大型タンクから絶縁油のような廃液を抜き取るための廃液抜取装置に関する。
【背景技術】
【０００２】
特許文献１には、内部に管路を設けた先端が凹型の穴あけポンチと、該穴あけポンチの先端を挿通する貫通穴を設けた高耐油性ゴムからなる弾性体ブロックと、該弾性体ブロックをＰＣＢ絶縁油が加圧封入されているコンデンサ又はサージアブソーバの上面に押し付け固定する圧接具を有するＰＣＢ油抜取装置が提案されている。
【０００３】
上記特許文献においては、前記圧接具として、第１に、前記弾性体ブロックごと前記コンデンサ等の容器に巻き回されて該弾性体ブロックを該容器に固定するクランプが提案されている。
【０００４】
上記特許文献においては、前記圧接具として、第２に、前記弾性体ブロックと一体に形成され、さらに、前記凹型の穴あけポンチ及び前記凹型の穴あけポンチを駆動する油圧シリンダを搭載し、基台上に設けられた昇降手段によって上下に昇降される保持具からなる装置が提案されている。
【０００５】
また、発電所や変電所等の構内においては、スタチックコンデンサ（ＳＣ）が使用されている。古くなったＳＣを廃棄するには、ＳＣ内部の絶縁油を抜かなければならない。そのために、ＳＣ筐体（タンク）に穴をあけ油を抜くが、ＳＣ筐体に穴をあけるためのガイドパイプ（管体）を取り付けなければならない。現在は、このガイドパイプの取り付けを溶接にて行っている。
【０００６】
【特許文献１】特許３４４００８９号公報（請求項３、図２、図４）
【発明の開示】
【発明が解決しようとする課題】
【０００７】
しかしながら、クランプからなる前記第１の圧接具は、タンクが大型の場合、タンクにクランプのベルト部分を巻き回すことが困難であり、又タンクの大きさに応じてベルト部分の長さを変更する必要がある。また、タンクを横に倒すことができないため、弾性体ブロック等をクランプすべきタンク横壁面を上方に向けることができず、水平方向を向いた状態のタンク横壁面に弾性体ブロック等を取り付けざるを得ない場合には、弾性体ブロック等の自重によりクランプ状態が不安定になるという問題がある。
【０００８】
上記第２の圧接具は、弾性体ブロック、穴あけポンチ及びそれを駆動する油圧シリンダを全て一緒に搭載しているため、圧接具の重量が大きくなりすぎ、タンクに対する圧接状態が不安定になるという問題がある。
【０００９】
発電所や変電所等の構内に設置されているＳＣから絶縁油を抜き取るため、抜き取り用のガイドパイプをタンクに溶接する場合には、溶接には火気を使用することから、ＳＣを変電所構外に搬出しなければならず、工程、コストに与える影響が大きい。すなわち、タンクに廃液抜き取りのための管を溶接する場合、溶接時に火花が発生するため、火気の使用が制限される場所においては、溶接という方法を採用することができない。
【００１０】
本発明の目的は、タンクに取付けが容易であり且つ取外すことができ、廃液抜き取りのための管体をタンクに密着させることができる廃液抜取装置を提供することである。
【課題を解決するための手段】
【００１１】
本発明は、第１の視点において、廃液を貯留するタンクから該廃液を抜き取るための装置であって、前記タンクの外壁に接続され、管内を通じて該タンクの外壁が穿孔され、穿孔された孔と該管内を通じて前記廃液が抜きとられる管体と、前記管体を前記タンクの外面に向かって解除可能に付勢することにより該管体を該タンクに接続するリンク機構と、を備え、前記リンク機構は、一側が前記管体に直接的又は間接的に接続されるアームと、
前記アームの中間部を枢支する枢支手段と、前記アームの他側に接続され、操作により該他側を変位させることにより該アームを回動させ、前記管体を前記タンクの外壁に向かって解除可能に付勢させる操作力付勢手段と、を有する、ことを特徴とする廃液抜取装置を提供する。
【発明の効果】
【００１２】
本発明の廃液抜取装置による効果を例示する。
【００１３】
第１に、火気を使用せずタンクに廃液抜取用の管体を接続することができるため、発電所、変電所、及びその他の火気厳禁な場所に設置され、大型ないし大重量のタンクから簡便に廃液を抜き取ることができる。
【００１４】
第２に、廃液抜き取りのための管体を、タンクに向かって強い力で付勢することができるため、管体又はそれと一体な部材と、タンク外壁との間の継ぎ目から、廃液が漏出することが防止される。
【００１５】
第３に、廃液抜き取りのための管体をタンクに接続する際、管体をタンクに溶接しないため、廃液抜き取り後、使用した管体を他のタンクからの廃液抜き取りに再利用することができる。
【発明を実施するための最良の形態】
【００１６】
本発明の好ましい実施の形態において、前記枢支手段は、前記タンクを補強するリブに解除可能に固定された万力と、前記万力に対して前記アームの中間部を枢支するピンと、を有する。
【００１７】
本発明の好ましい実施の形態において、前記操作力付勢手段は、前記アームの回動位置をロックする手段を有する。
【００１８】
本発明の好ましい実施の形態において、前記操作力付勢手段は、前記アームの他側に形成された内ネジ部と、前記内ネジ部に螺合し且つ一端が前記タンクの外壁に当接し、回転操作により並進して前記アームの他側を変位させる外ネジ部材と、を有し、前記内ネジ部と前記外ネジ部材の螺合により前記アームの回動位置がロックされる。
【００１９】
本発明の好ましい実施の形態に係る廃液抜取装置は、前記管体の端部に取り付けられ、一面が前記タンクの外壁面に当接し、他面が前記リンク機構が発生する倍力を受けて該倍力を前記管体に伝達する座金を有する。
【００２０】
本発明の好ましい実施の形態に係る廃液抜取装置は、前記アームの一側に取り付けられ、前記管体が挿通する押え板と、前記押え板と螺合し、並進して前記座金にその端面が当接する当り補正用のボルトと、を有する。
【００２１】
本発明の好ましい実施の形態に係る廃液抜取装置は、前記管体は、ドリルが挿入される横穴と、廃液が排出される縦穴と、を有する。
【００２２】
本発明の好ましい実施の形態において、リンク機構のアームは、タンクないしタンクと一体の部材に対して枢支される。場合によっては、アームを、地面に対して枢支する。
【００２３】
好ましくは、前記リンク機構は、前記操作力付勢手段から伝達される力を倍力するよう構成される。本発明の好ましい実施の形態においては、アームの枢支点と操作力が印加される作用点との距離と、アームの枢支点と管体に付勢力が伝達される力点との距離との比を調整することにより、所要の倍力が得られる。
【実施例１】
【００２４】
図１は、本発明の一実施例に係る廃液抜取装置を説明するための図である。
【００２５】
図１を参照すると、本発明の一実施例に係る廃液抜取装置３は、廃液を貯留するタンク１の外壁に接続され、管内を通じてタンク１の外壁が穿孔され、穿孔された孔と該管内を通じて廃液が抜きとられる管体１２と、管体１２をタンク１の外面に向かって解除可能に付勢することにより、管体１２をタンク１に接続するリンク機構と、を備えている。
【００２６】
管体１２は、タンク１に接続される第１の部分と、ドリル１８が挿入される第１の穴１６及び廃液が排出される第２の穴１７を有する第２の部分が一体化されている。この第２の部分には、ドリル１８を挿通する際、カップリング１５が取り付けられる。
【００２７】
管体１２の端部には、一面がタンク１の外壁面に当接し、他面がリンク機構が発生する力を受けて該力を管体１２に伝達する座金１３が取付けられている。
【００２８】
アーム６の一側には、取り付けられ、管体１２が挿通する押え板１０が取り付けられている。押え板１０には、複数の当り補正用のボルト１１が螺合し、補正用のボルト１１は並進して、座金１３の他面にその端面が当接する。座金１３の一面には、Ｏリングが１４が嵌められている。
【００２９】
なお、管体１２のタンク１に対する位置（高さ）を調節するため、押え板１０を馬蹄部を有するよう形成し、管体１２が馬蹄部内部で位置調節可能に挿通ないし挟持されてもよく、或いは、押え板１０に長穴を形成し、長穴内を位置調整可能に管体１２が挿通ないし挟持されてもよい。
【００３０】
前記リンク機構は、一側が管体１２に直接的又は間接的に接続されるアーム６と、アーム６の中間部を枢支する枢支手段（４，５）と、アーム６の他側に接続され、操作により該他側を変位させることによりアーム６を回動させ、管体１２をタンク１の外壁に向かって解除可能に付勢させる操作力付勢手段（７，８）と、を有する。
【００３１】
枢支手段（４，５）は、タンク１を補強するリブ２を挟むよう解除可能に固定された万力４と、万力４に対してアーム６の中間部を枢支するピン５と、を有する。
【００３２】
アーム６に操作力を付勢するための操作力付勢手段（７，８）は、アーム６の他側に形成された内ネジ部７と、内ネジ部７に螺合し且つ一端がタンク１の外壁に当て板９を介して当接し、回転操作により並進してアーム１の他側を変位させる外ネジ部材である圧力押しボルト８と、を有する。
【００３３】
操作力付勢手段（７，８）は、内ネジ部７と圧力押しボルト８の螺合によりアーム１の回動位置をロックするロック手段としても機能する。
【００３４】
以上説明した本発明の一実施例に係る廃液抜取装置を用いた廃液抜取方法について説明する。
【００３５】
図１及び図２を参照すると、タンク１のリブ２に万力４を取り付け、万力４を介してタンク１にアーム６（リンク機構）を枢支する。
【００３６】
管体１２がタンク１の孔を明ける箇所に対して適切な位置にくるよう、アーム６と管体１２の高さ関係を調節しながら、座金１３をタンク１の外壁面に当接させ、かつ当り補正用のボルト１１を所定方向に並進させ、座金１３を軽くタンク１の外壁面に向かって付勢する。
【００３７】
押しボルト８を図１中右方に並進させ、アーム６の他側を図１中左方へ移動させることにより、操作力ｆを受けたアーム６は図１中反時計方向に回動し、アーム６の一側に取り付けられた管体１２や座金１３は、付勢力Ｆでもってタンク１の外壁面に押し付ける。
なお、支点（ピン５）と操作力がアーム６に付勢される点（押しボルト８の中心軸上）との距離をＬ１とし、支点（ピン５）とアーム６から管体１２に操作力が伝達される点（管体１２の中心軸上）との距離をＬ２とすると、Ｌ１＞Ｌ２とすることによって、アーム６等からなるリンク機構は倍力を発生するが、Ｌ１＝Ｌ２又はＬ１＜Ｌ２としてもよい。
【００３８】
複数の当り補正用のボルト１１を調節して、座金１３の当りを最適化する。
【００３９】
第１の穴１６から、ドリル１８を差し込み、タンク１の外壁に孔をあける。ドリル１８と管体１２との隙間は、管体１２に取り付けられたカップリング１５の内周或いはドリル１８側にシールを配置することによって塞ぐことができる。
【００４０】
第２の穴１７を通じて、タンク１から廃液を抜き取る。
【００４１】
廃棄抜き取り作業終了後、押しボルト８を緩め、管体１２をタンク１から外し、次のタンクからの廃液抜き取り作業に再利用する。
【産業上の利用可能性】
【００４２】
本発明の廃液抜取装置は、発電所、変電所等に設置されている大型コンデンサから絶縁油等の廃液を抜き取るために好適に使用される。
【図面の簡単な説明】
【００４３】
【図１】本発明の一実施例に係る廃液抜取装置を説明するための図である。
【図２】図１に示した管体とタンクの接続部を模式的に示す拡大図である。
【符号の説明】
【００４４】
１  タンク
２  リブ（枢支手段）
３  廃液抜取装置
４  万力（枢支手段）
５  ピン（枢支手段）（アームの支点）
６  アーム（リンク機構、倍力機構）
７  内ネジ部（操作力付勢手段）
８  圧力押しボルト（操作力付勢手段）
９  当て板
１０  押え板
１１  当り補正用のボルト
１２  管体（リンク機構）
１３  座金
１４  Ｏリング
１５  カップリング
１６  第１の穴
１７  第２の穴
１８  ドリル
【図１】
2005349263.tif 000003
【図２】
2005349263.tif 000004